(57)【要約】      （修正有）【課題】傘を折り畳む際に、傘地を親骨軸まわりに自動的に渦巻き状に確実にまきつけることができる傘を提供する。【解決手段】柄軸２と、柄軸２の先端部を中心に放射状に枢着した複数の親骨と、親骨に回動可能に軸着した回動部材と、隣り合う回動部材に張設された傘地１と、親骨と回動部材との間に装着し回動部材に回転力を与えるバネ部材とからなり、傘を開いた際に、傘地１がバネ部材の回転力に抗して広がり、傘を閉じた際には、バネ部材の回転力で回動部材を回転させ、回動部材に傘地１を巻き付ける構造となっている。また、親骨・回動部材を覆うように親骨に傘地１をまたいでカバー３を取り付け、傘を閉じた際にはカバー３は隣同士が概略密着するように配置してなる自動傘地巻き取り傘である。【選択図】図１
2014233617.tif 000002
【特許請求の範囲】
【請求項１】
柄軸と、前記柄軸の先端部を中心に放射状に枢着した複数の親骨と、前記親骨に回動可能に軸着した回動部材と、隣り合う前記回動部材に張設された傘地と、前記親骨と前記回動部材との間に装着し前記回動部材に回転力を与えるバネ部材とからなることを特徴とする自動傘地巻き取り傘
【請求項２】
傘を開いた際に、傘地がバネ部材の回転力に抗して広がり、傘を閉じた際には、前記バネ部材の回転力で回動部材を回転させ、前記回動部材に傘地を巻き付けることを特徴とする請求項１に記載の自動傘地巻き取り傘
【請求項３】
バネ部材はゼンマイからなっていることを特徴とする請求項１または２に記載の自動傘地巻き取り傘
【請求項４】
親骨・回動部材を覆うように前記親骨に傘地をまたいでカバーを取り付け、傘を閉じた際には前記カバーは隣同士が概略密着するように配置したことを特徴とする請求項１から３に記載の自動傘地巻き取り傘
【発明の詳細な説明】
【技術分野】
【０００１】  本発明は、傘に係り、傘を閉じた時に自動的に傘地を巻き取る機構を備えた洋傘に関する。
【背景技術】
【０００２】  傘を折り畳むと同時に、傘地が外に広がらずに、自動に柄軸付近に整って巻き付けられる傘として、従来、特許第４５３７６８７号の構造が知られている。この傘構造は中折目に沿ってスパイラル状に付勢された平板で帯状のバネ材又は合成樹脂からなる巻着付勢部材を付勢力に抗して直線状に延ばして中折目の基端側から中途位置又は基端側から先端側まで付設した構成からなっている。そして傘を開いた際に、傘地が前記巻着付勢部材の付勢力に抗して広がり、傘を閉じた際には、前記巻着付勢部材の付勢力で親骨間の傘地ごとに中折目が折り畳まれて柄軸に沿ってスパイラル状に巻き付くようになっている。
しかしながら、上記構成では、付勢する各バネ部材の強さのばらつき、あるいは各バネ部材のバネ形状のばらつき等によって親骨を閉じながら順序良く柄軸に巻き付かせることは非常に困難である。親骨の内側に傘地が入り込む等トラブルが発生し、使用者に不安を与えるものであった。
また、スパイラル状に付勢されたバネ部材を傘地に付設しており、傘を開いた状態では、バネ部材の復元力で傘地を捻る力が働き、傘地が波打つ状態となり、見栄えの悪い傘となった。
さらには、傘地はスパイラル状に柄軸に巻き付いてはいるが傘地そのものは外界と接しており、雨によって水分を含んで濡れている傘地を身体につけると雨露で衣服などを濡らしてしまう欠点があった。
【先行技術文献】
【特許文献】
【特許文献】  特許第４５３７６８７号
【発明の開示】
【発明が解決しようとする課題】
【０００３】本発明は上記実情に鑑みて発明したもので、その主たる課題は、傘を折り畳む際に、傘地を親骨軸まわりに自動的に渦巻き状に確実にまきつけることができる傘を提供することにある。
また、この発明の別の課題は、傘を閉じる時は親骨軸まわりに自動的に巻き付く構造でありながら、傘を開いた時には、傘地は波打つことも無く見栄えの良い傘を提供することにある。
本発明のさらなる別の課題は、傘を折り畳む際に、雨による水分を含んだ傘地を外界と接触できないようにカバーで傘地を包み込む傘を提供することにある。
【課題を解決するための手段】
【０００４】  上記課題を解決するために、請求項１の発明では、
柄軸と、前記柄軸の先端部を中心に放射状に枢着した複数の親骨と、前記親骨に回動可能に軸着した回動部材と、隣り合う前記回動部材に張設された傘地と、前記親骨と前記回動部材との間に装着し前記回動部材に回転力を与えるバネ部材とからなる、という技術的手段を講じている。
また請求項２の発明では、
傘を開いた際に、傘地がバネ部材の回転力に抗して広がり、傘を閉じた際には、前記バネ部材の回転力で回動部材を回転させ、回動部材に傘地を巻き付ける、という技術的手段を講じている。
さらに請求項３の発明では、
バネ部材はゼンマイからなっている、という技術的手段を講じている。
さらに請求項４の発明では、
親骨・回動部材を覆うように親骨に傘地をまたいでカバーを取り付け、傘を閉じた際には前記カバーは隣同士が概略密着するように配置した、という技術的手段を講じている。
【発明の効果】
【０００５】  本発明によれば、傘を閉じる時に傘地が外側に広がることが無いように、自動的に、かつ確実に、傘地を親骨に回動可能に軸着した回動部材に巻き付けることができ、持ち運びやすい傘を提供できる。
また、傘を開いた時に傘地が波打つ等の無い見栄えの良い傘を提供できる。
さらには、傘を閉じた際にはカバーは隣同士が概略密着するように配置している為、雨水で濡れている傘地を外界から閉ざすことになり、傘を使用するひとが水分を含んだ傘地に触って衣服などを濡らしてしまうことの無い傘を提供することができる。
副次的な効果として、傘を閉じたときに、カバーの隣同士が概略密着するように配置している為、カバーの表面に絵などを描写しておくと、開いたときは、カバーが離れているので、絵として完成されていないが、閉じたときには各カバーに描かれた絵がつながって一つの完成された絵となることができ、ファッション性ある傘を提供することができる。
また、副次的なさらなる効果として、傘を閉じるときに、ゼンマイの力は親骨、カバーなどを閉じる方向に働くため、傘を使用しているひとが傘を閉じる力は非常に小さくてよい。あるいは自動的に傘を閉じることもできるものであり、使い勝手のよい傘を提供できるものである。
【発明を実施するための最良の形態】
【実施例】
【０００６】  以下、図面に基づいて本発明の好適な実施例について説明する。図１は、本発明による自動傘地巻き取り傘・実施例１の傘を開いた時の外観図であり、図２はこの傘を閉じた時の外観図である。図１において、親骨は図示されていないが、親骨の周りに６個のカバー３が上ロクロ５を中心に放射状に開いて配置されている。そのカバー３に設けたスリット３０１を通して傘地１が全面に張り巡らされている。この傘を閉じると図２のようになり、カバー３は上ロクロ５を中心にして放射状の広がりが閉じるように動いて、同時に傘地１はカバー３の内部に収納されて最終的には傘地１は外部からは、ほぼ遮断された状態となる。カバー３は隣同士の６個が概略密着した状態となり、傘地１を触ることはできなくなる。カバー３をプラスチック材料で製作すれば雨水がカバー３表面に留まることがなく、衣類などがカバー３と接触しても衣類などを濡らすことがなくなる。以上が自動傘地巻き取り傘・実施例１の開閉時の傘地１、カバー３の動きの説明であるが、このような動きができる構造の説明を図３〜図９を用いて説明する。【０００７】  図３は自動傘地巻き取り傘・実施例１の傘を閉じた時の断面図であり、下段部６、中段部７、上段部８の拡大図が図４である。図３、図４において柄軸２の先端部に上ロクロ５を固定してある。
上ロクロ５は円周上に６個の親骨取付具９が軸５０１に軸着あるいは枢着してあり、親骨取付具９に固定して取付けた６本の親骨１０が軸５０１を中心に放射状に回動可能になっている。親骨１０は自身の軸周りには回転不可となっている。親骨１０は概ね上ロクロ５から傘の下段部６までの長さとなっている。親骨６の外周には６本の回転軸１１を親骨６の軸中心に回転可能に設けてあり、長さもほぼ親骨６の長さに合わせて配置してある。回転軸１１の下段部６付近に回動部材１２を設けてあり回転軸１１に固定してあるので回転軸１１の回転と同じ動きをする。【０００８】１３はゼンマイケースであり、親骨１０に固定してある。ゼンマイケース１３は内側にゼンマイ１４を格納してある。ゼンマイケース１３の内側中心部にゼンマイ芯１５を配置してあり、ゼンマイ芯１５は回転軸１１に固定されている為、ゼンマイ芯１５、回転軸１１、回動部材１２は同じ動きをし、親骨１０軸周りに回転可能に取り付けられている。ゼンマイ１４の一端はゼンマイケース１３の外側部分に固定され、他端はゼンマイ芯１５に固定されている。従って回動部材１２が回転するとゼンマイ１４を巻き取ることができる。傘地１は６本の回動部材１２に一部を取付けてあり、回動部材１２がゼンマイ１４の回転力にて回転することにより回動部材１２に巻き付けられて収納されている。１８は回転軸１１に回転自由にとりつけてあり、傘地１の回動部材１２への巻き付きがスムーズになるように、傘地１を円筒形状で案内しているガイドローラーである。【０００９】カバー３は親骨取付具９に固定してある。親骨取付具９に親骨１０を固定してあるので、カバー３は親骨１０に取り付けたと見なせる。カバー３は親骨１０、回動部材１２を覆うようにして、かつ、傘地１を跨ぐような形状としてあり、カバー３の端部はゼンマイケース１３により保持されている。従って親骨１０が動くとカバー３も親骨１０の動きに従動して動くことになる。
図５はゼンマイケース１３、ゼンマイ１４を含む断面の斜視図であり、カバー３、親骨１０、回転軸１１、ゼンマイ芯１５、回動部材１２の位置関係をイメージし易くする為に示した。ゼンマイ１４の一端１４２はゼンマイケース１３の外側部分１３１に固定され、他端１４１はゼンマイ芯１５に固定されている。カバー３の断面は台形となっており、隣り合わせどうしが概略密着できる形状となっている。カバー３の側面に傘地１が通ることができるスリット３０１が設けてある。【００１０】図６は回動部材１２を含む断面図であり、特に傘地１を巻き取る状況を説明する為の図面である。傘地１は回動部材１２に一部を取り付けてあるので回動部材１２が回動すると傘地１を２枚重ねにて回動部材１２の外周に複数巻き、巻き付けながら収納される。傘地１は６本ある回動部材１２にそれぞれ巻き付けるが、カバー３のスリット３０１を通り隣接の回動部材１２に連結して巻き付けられており、最終的には６本の回動部材１２がゼンマイ１４の力に因り、傘地１を介して引っ張り合う状態となり、隣接のカバー３同士が接触するところまで動き、傘地１は収納され、回動部材１２はそれ以上の回転はできなくなる。それが傘を閉じた状態である。【００１１】傘を閉じた状態から開いた状態への移行を図７、図８を用いて説明する。
図７は自動傘地巻き取り傘・実施例１の傘を広げた状態の断面図であり、図８は傘下段部６が広がった状態の断面図の拡大図である。傘を閉じた状態から開くには短鞘管１６を柄軸２上方にスライドさせると受骨１７を介してカバー３が上ロクロ５を中心に放射状に開く。この時、カバー３と一体となっている親骨１０、ゼンマイケース１３も放射状に開く。親骨１０に回転可能に軸着されている回動部材１２、回転軸１１も放射状に開く。回動部材１２には傘地１を取り付けてあり、隣同士の回動部材１２の距離が離れていくので、回動部材１２に巻き付いている傘地１が解かれていく。すなわち回動部材１２が傘地１により回転が与えられるものである。回動部材１２が回転すると、回転軸１１、ゼンマイ芯１５も親骨１０軸上で回転する。この回転はゼンマイ１４を巻き上げることになり、ゼンマイ１４に回転エネルギーを蓄えることとなる。この回転エネルギーが傘を閉じた時に傘地１を回動部材１２に巻き付ける原動力となる。【００１２】傘を閉じる時は、短鞘管１６を柄軸２下方にスライドさせ放射状に開いていたカバー３を閉じる。
この動きに連れて親骨１０も閉じていき、回動部材１２も閉じる方向へ移動する。回動部材１２は隣接同士の距離が短くなるため、回動部材１２にとりつけた傘地はたるみ状態となるが、ゼンマイ１４に蓄えられた回転力によってゼンマイ芯１５、回転軸１１、回動部材１２が親骨１０軸上で回転し、たるみ状態となった傘地１を即座に巻き取っていき、最後には図６に示す状態に傘地１は収納される。【００１３】図９は回動部材１２と傘地１の巻き取り状態を示す図である。
回動部材１２はゼンマイの回転力で矢印方向へ回転しようとしている。傘地１は一部１０１を回動部材１２の外周面に取付けてあるため、傘地１を２枚重ねした状態で回動部材１２に巻き付いていく。巻き付いていくと回動部材１２の間の距離は必然的に近づく状態となる。この例ではゼンマイの取付方向を全数同じ巻き方向にしたので図９のような巻き取り状態となるが、交互にゼンマイの巻き方向を変えても回動部材に傘地は巻き取られるものである。しかもゼンマイの巻き方向を交互に変えれば、隣同士のゼンマイの力の悪影響が打ち消し合い、傘を閉じた時のカバー、親骨等の位置が安定して正多角形になることもわかっている。【００１４】次に自動傘地巻き取り傘・実施例２について図１０〜図１３を用いて説明する。実施例２はジャンプ傘に本発明構造を取り入れる傘である。また回動部材の構造を実施例１とは設計を変えてある。但し基本構成は同じである。図１０は自動傘地巻き取り傘・実施例２の傘を開いた図である。上ロクロ５には親骨１０が枢着あるいは軸着されており、親骨１０にはカバー３が取り付けられている。親骨１０の軸上に回動部材１２が回転可能に設けられている。
柄軸２には下ロクロ２０、コイルバネ２１、引線２２、ハジキ２４が設けられており、ハジキ２４のボタン２５を押すとハジキ２４の引っ掛かり部（図示してない）が外れ、コイルバネ２１の弾性力で下ロクロ２０を柄軸２の上方に移動させる。尚、下ロクロ２０、コイルバネ２１等は同軸上に図示していないが、これは見易くする為の便宜上の表現であり実際は柄軸２と同軸上に配置されているものである。下ロクロ２０が柄軸２軸上を上方に移動すると引線２２と受骨１７を介してカバー３が上ロクロ５を中心に放射状に開く。受骨１７とカバー３はダボ１９で接合されており、ダボ１９はカバー３が放射状に開いても受骨１７が自在に動けるような自由度を持った軸受機能を持っている。下ロクロ２０がストッパ２３に度当たり規制されるまでカバー３は放射状に開いて止まる。親骨１０、回動部材１２もカバー３の動きに連れて放射状に移動し、カバー３が止まった状態に同期して止まる。２７は雨水が傘の内部に入り込まないように傘の上部を覆うキャップである。【００１５】図１１にて親骨１０の軸周りの構造を説明する。回動部材１２は親骨１０軸上に回転可能に取り付けられている。回動部材１２には傘地１の一部を固定してある為回動部材１２が回動すれば傘地１が回動部材１２周りに巻き付けられ、あるいは巻き解くことができる。親骨１０にはゼンマイケース１３が固定されており内部にはゼンマイ１４が収納されている。ゼンマイ１４の一端はゼンマイケース１３の外側外径部に固定、ゼンマイ１４の他方の一端は回動部材１２に固定されている。１８は親軸１０に回転自由にとりつけてあり、傘地１を回動部材１２へ巻き付ける時に傘地１が折れ曲がったりしないようにスムーズに巻き付けるように傘地１を円筒形状で案内しているガイドローラーである。【００１６】傘を開いた時と、閉じた時の傘地１の動き、あるいはカバー３の動きについて図１３を用いて説明する。傘が開いている時は、カバー３は隣同士離れて位置しており回動部材１２に取付けてある傘地１はカバー３のスリット３０１を通り、隣接した回動部材１２に連結して巻き付けられている。傘を閉じるとカバー３は親骨１０、回動部材１２を伴って隣同士が近づく状態となる。回動部材１２は隣接同士の距離が短くなるため、回動部材１２にとりつけた傘地１はたるみ状態となるが、ゼンマイ１４に蓄えられた回転力によって回動部材１２が親骨１０軸上で回転し、たるみ状態となった傘地１を即座に巻き取っていく。最終的には６本の回動部材１２がゼンマイ１４の力に因り、傘地１を介して引っ張り合う状態となり、隣接のカバー３同士が接触すると、それ以上には回動部材１２は回転できなくなり、図１３の右側に図示した状態のように傘地１は収納され、傘を閉じた状態となる。カバー３の部品斜視図を図１２に示す。３０１は傘地１が通るスリットである。カバー３は台形形状で周囲を全面的に囲む形状としてあるが、円筒形状でもよく、また、一面あるいは２面が開口している形状でも良い。自動傘地巻き取り傘・実施例２では自動で傘が開くジャンプ傘と言われる構造と本発明による構造とを一緒に取込み、傘を開くときはボタン一つを押すことにより自動で傘が開き、また傘を閉じるときには本発明の構造により自動で傘地を巻き取ることができ使い勝手の良い傘を提供できる。【００１７】自動傘地巻き取り傘・実施例３について図１４を用いて説明する。
図１４は自動傘地巻き取り傘・実施例３の断面図であり、傘の下段部、中段部、上段部を拡大して配列した図である。柄軸２の上部に固定した上ロクロ５にカバー３を固定して取り付ける為のカバー取付具２６を設置している。カバー取付具２６は上ロクロ５に設けた軸５０１に放射状に回動可能に枢着、あるいは軸着されている。カバー３の反対側の端にはゼンマイケース１３が固定されている。そのゼンマイケース１３に親骨１０が固定されている。親骨１０の長さは自動傘地巻き取り傘・実施例１の親骨に対して極短い円筒形となっている。また片側のみ支持となっている。ゼンマイケース１３の内側にはゼンマイ１４が収納されており、ゼンマイ１４の一端はゼンマイケース１３の外側部に固定、ゼンマイ１４の他端はゼンマイ芯１５に固定されている。ゼンマイ芯１５は回動部材１２と固定されている為、回動部材１２に回転力を与えることができる。従って回動部材１２に一部をとりつけた傘地１は回動部材１２の外周に巻き付けることができるし、また、巻き解くこともできる。傘を開いた時の傘地１の動きと傘を閉じた時の傘地１の動きは実施例１、および実施例２と同じ動きをする。このような構造の親骨１０は柄軸２の先端部に直接枢着あるいは軸着したものではないが、カバー３を介して放射状に回動できるので本発明の特許請求の範囲を逸脱するものではない。
以上、本発明による実施例を述べてきたが本発明の精神を逸脱しない範囲において多くの改変をなし得ることは言うまでもない。
【図面の簡単な説明】
【００１８】
【図１】本発明による自動傘地巻き取り傘・実施例１の傘を開いた時の外観図である。
【図２】本発明による自動傘地巻き取り傘・実施例１の傘を閉じた時の外観図である。
【図３】本発明による自動傘地巻き取り傘・実施例１の傘を閉じた時の断面図である。
【図４】本発明による自動傘地巻き取り傘・実施例１の傘を閉じた時の断面図の拡大図である。
【図５】本発明による自動傘地巻き取り傘・実施例１のゼンマイケース、ゼンマイ等を含む断面の斜視図である。
【図６】本発明による自動傘地巻き取り傘・実施例１の回動部材を含む断面図であり、特に傘地を巻き取る状況を示した図面である。
【図７】本発明による自動傘地巻き取り傘・実施例１の傘を広げた状態の断面図である。
【図８】本発明による自動傘地巻き取り傘・実施例１の傘下段部が広がった状態の断面図の拡大図である。
【図９】本発明による自動傘地巻き取り傘・実施例１の回動部材と傘地の巻き取り状態を示す図である。
【図１０】本発明による自動傘地巻き取り傘・実施例２の傘を開いた図である。
【図１１】本発明による自動傘地巻き取り傘・実施例２の傘の親骨の軸周りの断面図である。
【図１２】本発明による自動傘地巻き取り傘・実施例２のカバーの部品斜視図である。
【図１３】本発明による自動傘地巻き取り傘・実施例２の傘を開いた時と、閉じた時の傘地、カバーの動作説明図である。
【図１４】本発明による自動傘地巻き取り傘・実施例３の断面図である。
【符号の説明】
【００１９】１    傘地
２    柄軸
３    カバー
４    柄
５    上ロクロ
９    親骨取付具
１０  親骨
１１  回転軸
１２  回動部材
１３  ゼンマイケース
１４  ゼンマイ
１５  ゼンマイ芯
１６  短鞘管
１７  受骨
１８  ガイドローラー
１９  ダボ
２０  下ロクロ
２１  コイルバネ
２２  引線
２３  ストッパ
２４  ハジキ
２５  ボタン
２６  カバー取付具
２７  キャップ
【図１】
2014233617.tif 000003
【図２】
2014233617.tif 000004
【図３】
2014233617.tif 000005
【図４】
2014233617.tif 000006
【図５】
2014233617.tif 000007
【図６】
2014233617.tif 000008
【図７】
2014233617.tif 000009
【図８】
2014233617.tif 000010
【図９】
2014233617.tif 000011
【図１０】
2014233617.tif 000012
【図１１】
2014233617.tif 000013
【図１２】
2014233617.tif 000014
【図１３】
2014233617.tif 000015
【図１４】
2014233617.tif 000016